(57)【特許請求の範囲】
【請求項１】
歯科用コンピュータ断層撮影装置であって、
少なくとも１つの回転軸（２１，２２，２３）を中心にアクチュエータ（３１，３２，３３）の動作によって回転可能に配置されているアーム部（１１）であって、放射線源（１４）および画像情報の受信器（１５）が互いに隔てて配置されている、前記アーム部（１１）と、
前記アクチュエータ（３１，３２，３３）と、前記放射線源（１４）と、前記画像情報の受信器（１５）とを制御する制御システムと、
を備えており、
前記制御システムが制御ルーチンを備えており、前記アーム部（１１）が、撮影する対象の領域に対する特定の位置であって、撮影時に前記アーム部（１１）が回転するときに、撮影に使用される角度範囲の少なくとも相当な部分または角度範囲全体にわたり、撮影する対象の前記領域の一部のみが放射線ビームの照射野に入る位置、に前記制御ルーチンによって配置される、またはそのような位置まで移動され、
前記制御システムが第１の制御ルーチンを備えており、前記第１の制御ルーチンが、パルス化された放射線を生成するように前記放射線源（１４）を制御するようにされており、
前記装置が、前記放射線源の陽極電流を測定する手段、を備えており、
前記第１の制御ルーチンが、
前記放射線源の陽極電流を測定し、前記電流の積分値がプリセット値に達した時点で前記放射線パルスがつねに終了するように、前記放射線パルスの持続時間を調整するステップ、を備えている、
ことを特徴とする、コンピュータ断層撮影装置。
【請求項２】
前記制御システムが、前記撮影検出器（１５）からの情報の読み取りを、照射が中断された瞬間に行われるように制御するようにされている、
ことを特徴とする、請求項１に記載の装置。
【請求項３】
１つの放射線パルスの持続時間が、
撮影する領域の中で、再構築において使用されるボクセルサイズに対応する距離を前記ビームが進むのにかかり得る最大時間よりも短い、または、撮影中に前記撮影検出器（１５）が検出器の１ピクセルの距離を移動するのにかかる時間よりも短い、または実質的に短い、ようにされている、
ことを特徴とする、請求項１または請求項２に記載の装置。
【請求項４】
前記撮影検出器（１５）が、円形、方形、または二次曲面のエリアセンサであり、前記撮影検出器（１５）の直径または辺の長さが１０ｃｍ〜２０ｃｍのオーダーである、
ことを特徴とする、請求項１から請求項３のいずれかに記載の装置。
【請求項５】
前記撮影検出器（１５）が、受信した前記情報の保存もしくは転送またはその両方を、１秒間に何度か行う、例えば１秒間に１０回以上行うようにされている、
ことを特徴とする、請求項１から請求項４のいずれかに記載の装置。
【請求項６】
前記第１の制御ルーチンが、
前記パルスの一部がより高い電圧で生成され、別の部分がより低い電圧で生成されるように、前記放射線源を制御するステップ、を備えている、
ことを特徴とする、請求項１から請求項５のいずれかに記載の装置。
【請求項７】
前記第１の制御ルーチンが、
パルスを、より高い電圧およびより低い電圧で交互に生成する、または、連続期間（consecutive periods）において、一方の電圧によってつねに同じ数のパルスを生成した後、他方の電圧によって同じ数のパルスを生成するステップ、
を備えている、
ことを特徴とする、請求項６に記載の装置。
【請求項８】
−  実質的に垂直な回転軸（２１）を中心にアクチュエータ（３１，３２，３３）の動作によって回転可能に配置されている第１のアーム部（１１）であって、前記回転軸（２１）の両側に、放射線源（１４）および画像情報の受信器（１５）が互いに隔てて配置されている、前記第１のアーム部（１１）と、
−  実質的に垂直な回転軸（２２）を中心にアクチュエータ（３１，３２，３３）の動作によって回転可能に配置されている第２のアーム部（１２）であって、前記第１のアーム部（１１）を支持するようにされている、前記第２のアーム部（１２）と、
を含んでおり、
−  前記制御システムが第２の制御ルーチンを備えており、前記第２の制御ルーチンが、撮影工程中、前記第１のアーム部（１１）が回転せず、前記第２のアーム部（１２）に対して動かないままであり、前記第２のアーム部（１２）がその回転軸（２２）を中心に回転するように、前記装置の前記少なくとも１つのアクチュエータ（３１，３２，３３）を制御する、
ことを特徴とする、請求項１から請求項７のいずれかに記載の装置。
【請求項９】
前記第２の制御ルーチンが、
実際の撮影工程の前に、前記第１のアーム部（１１）を前記第２のアーム部（１２）の向きに対する所望の角度に駆動するステップ、
を備えている、
ことを特徴とする、請求項８に記載の装置。
【請求項１０】
前記第２の制御ルーチンが、
前記第２のアーム部（１２）をその回転軸を中心に実質的に３６０度回転させるステップ、
を備えている、
ことを特徴とする、請求項８または請求項９に記載の装置。
【請求項１１】
前記第１のアーム部（１１）が、前記第１のアーム部の回転軸（２１）を介して前記第２のアーム部（１２）によって支持されている、
ことを特徴とする、請求項８から請求項１０のいずれかに記載の装置。
【請求項１２】
前記第１のアーム部（１１）および前記第２のアーム部（１２）の回転軸（２１，２２）が、実質的に平行である、もしくは、互いの間の距離が一定である、またはその両方である、
ことを特徴とする、請求項８から請求項１１のいずれかに記載の装置。
【発明の詳細な説明】
【技術分野】
【０００１】
本発明は、歯科用に設計されたコンピュータ断層撮影装置、特に、いわゆるオフセット撮影（offset imaging）と、撮影工程時に撮影装置の放射線源を制御する構造とに関する。
【背景技術】
【０００２】
医療用Ｘ線撮影は長い歴史を持つ。最も初期の技術は、撮影する対象物を徹照する（transilluminating）ことに基づいていた。徹照法では、照射の方向に重なり合っている、撮影領域の組織構造すべてが、そのまま重なってフィルムに撮影される。これに対して、層撮影、いわゆる断層撮影では、形成される画像において、対象物の所望の層以外の層にぼやけ（blurring）を生じさせることによって、所望の層をよりクリアに撮影することが可能である。ぼやけは、撮影中に（撮影手順に応じて照射中または個々の照射の間に）、撮影手段と対象物の相対位置を制御式に変化させることによって達成される。特に、コンピュータおよびデジタル撮影の進歩に伴い、非常に多くの種類の断層撮影技術および装置が開発されている。
【０００３】
歯科の分野においては、一般的に、口腔内撮影および頭部撮影（これらは徹照撮影によって行われるため撮影技術に関する限りは単純である）に加えて、特に、いわゆるパノラマ撮影（一般には、歯列弓全体を含む層が平面上に撮影される）が使用される。従来のフィルムベースのパノラマ撮影では、歯列弓をスリット状ビームで走査し、この場合、実質的に両端部に撮影手段が配置されている回転可能なアーム部が回転する間、アーム部の回転中心が直線的に移動し、アーム部と一緒に移動するフィルムは、放射線源によって形成されるスリット状ビームが当たるようにして、使用する撮影手順の撮影条件を満たす速度で送られる。デジタルパノラマ撮影では、撮影走査中にセンサから画像データを読み取る周波数は、フィルムのこの送り速度に対応する。
【０００４】
さらに、コンピュータ（またはコンピュータ化された）断層撮影（ＣＴ）（初期には主として病院環境で使用された）が、歯科の分野でも応用され始めている。病院で使用される大型で高価なＣＴ装置は、装置の大きさのみならず特にその価格のため、一般的な歯科医院の環境に導入することができない。
【０００５】
撮影技術に関して、現在では何種類かのＣＴ技術が知られている。ＣＴ撮影では、撮影する領域に複数の異なる方向から照射し、得られたデータから、必要な２次元または３次元の画像を後から再構築する。原理的には、この種類の技術を使用することで、特に、歯列弓の一部分または必要な場合には歯列弓全体を平面上に広げた２次元画像を再構築することができる。コンピュータ断層撮影の原理およびそのさまざまな用途に関しては、この技術分野の参考文献、例えば非特許文献１を参照されたい。
【０００６】
コンピュータ断層撮影の一形態として、いわゆるコーンビームＣＴ（ＣＢＣＴ）があり、コーンビームＣＴでは、例えばパノラマ撮影および従来のＣＴ撮影で使用されるスリット状ビームとは異なり、撮影する領域のサイズに実質的に等しいビームを使用し、スロットセンサ（slot sensor）の代わりに、使用するビームのサイズに対応する大きさの検出器を使用する。従来のいくつかのＣＴ撮影技術と比較すると、ＣＢＣＴ技術では、放射線量の大幅な低減および撮影時間の短縮を達成することができる。
【０００７】
歯科用としての初期段階のいくつかのＣＴ撮影法では、比較的大型の安定した支持構造部に撮影手段が配置されており、患者は、撮影手段の間にイスに座る。所望の領域を撮影できるように撮影手段を位置決めするとき、患者の位置と撮影手段の相対的な位置は、イスを動かすことによって調整していた。これに対して、特許文献１には、従来の歯科用パノラマ装置に基づく構造が説明されており、この構造では、撮影手段を備えたアーム部の移動メカニズムによって、撮影手段を回転中心に対して回転させることに加えて、回転中心の位置を変更することができる。この装置の寸法、およびこの装置で使用される検出器の寸法は、頭蓋骨の特定部分の領域を再構築するための情報を集めることができるようなサイズであるが、より大きな領域、またはいくつかの（例えば隣接する）領域をこの装置によって再構築する必要がある場合、新たに撮影する対象領域に従って、対象物と撮影手段の相対位置をもう一度調整して撮影を繰り返さなければならない。
【０００８】
撮影手段を１回転させることで撮影可能な領域のサイズは、いわゆるオフセット撮影によって大きくすることができる。このような撮影を実施する１つの公知の方法では、撮影する前に、可動の撮影センサを対象領域に対して特定の位置に配置し、すなわち、撮影手段を回転させるとき、各瞬間には撮影する対象の領域の一部のみがビームの照射野に入るが、回転全体が完了したとき、対象領域の部分領域すべてが本質的に少なくとも１８０度の角度範囲においてカバーされるような位置に、撮影センサを配置する。例えば、特許文献２に記載されている装置のように、撮影手段の回転中心の位置を動かすことによっても同じ結果が得られ、この明細書は、従来技術によるオフセット撮影の原理をより包括的に説明する目的で、本文書に組み込まれている。
【０００９】
上記の特許文献２では、解決策の本質的な発想は、１回の照射時間を延長することによって、３６０度の撮影走査を実施することである。このタイプの照射では放射線量が増大し、このことは、特に、そのようなＸ線装置がもともと少ない放射線量で使用するように設計されている場合に問題である。
【先行技術文献】
【特許文献】
【００１０】
【特許文献１】米国特許第６，１１８，８４２号明細書
【特許文献２】米国特許第７，４８６，７５９号明細書
【非特許文献】
【００１１】
【非特許文献１】Computed Tomography: Principles, Design, Artifacts and Recent Advantages, Jian Hsich, SPIE PRESS, 2003, Bellingham, Washington, USA
【発明の概要】
【発明が解決しようとする課題】
【００１２】
本発明の目的および好ましい実施形態は、アーム部を使用する従来の方式、すなわち、放射線源と画像情報の受信器とが互いに隔てて配置されており、アーム部の回転中心とビームの中心軸線の両方が、撮影工程の全体にわたり、撮影する対象の領域の中央をつねに通るようにされている方式、で撮影するときに可能であるよりも大きな領域を、１回の照射工程によって撮影するための新規の解決策を提供することである。
【課題を解決するための手段】
【００１３】
本発明の本質的な特徴は、添付の請求項に記載されている。本発明による歯科用ＣＴ装置は、本質的には、例えば特許文献２に記載されている構造よりも放射線量の少ないオフセット撮影工程を可能にする制御システム、を備えている。本発明によると、これは、放射線をパルス化することによって達成することができ、好ましくは、パルス化は、各パルスによって生成される放射線量が本質的につねに同じであるように、放射線源の陽極電流を測定し、必要な場合にその測定に基づいてパルスの持続時間を調整するように制御される。
【００１４】
以下では、本発明と、本発明の好ましい実施形態と、本発明の目的および利点について、添付の図面を参照しながらさらに詳しく説明する。
【図面の簡単な説明】
【００１５】
【図１ａ】非対称型の撮影時における、本発明による放射線のパルス化を示している。
【図１ｂ】非対称型の撮影時における、本発明による放射線のパルス化を示している。
【図２】撮影時の動作が、撮影手段を支持しているアーム部を支持する別のアーム部の回転運動によって実施される撮影モードを示している。
【図３】本発明において使用することのできるコンピュータ断層撮影装置の一実施形態の概略的な側面図を示している。
【発明を実施するための形態】
【００１６】
本発明の本質的な発想は、いわゆるオフセット撮影（それ自体はＣＴ撮影に関連して公知である）を、パルス化された放射線によって行うことである。オフセット撮影とは、撮影中に撮影手段が回転している間、撮影において使用される角度範囲のうちの相当な部分または全体にわたり、撮影する対象の領域の一部分のみがビームの照射野に入る撮影モード、と定義することができる。一般的なオフセット撮影では、撮影する対象の領域を中心に３６０度の回転が必要であるが、対称型の撮影の場合、１８０度の動きからも逆投影のための十分な情報が得られる。回転角度が大きいほど撮影時間が長くなるため、特に、放射線量が増大する。図１ａは、理想的な状況における、放射線源のパルス陽極電流を時間の関数として示しており、放射線源は、大きさおよび持続時間が一定であるパルスを一定周波数で生成する。
【００１７】
これに対して、図１ｂは、本発明の好ましい実施形態を示しており、パルスは依然として一定の周波数で生成されるが、陽極電流の測定において設定値からの偏差が検出されたとき、積分値（図１ｂでは面積によって示される）が一定のままであるように、パルスの持続時間をより長く、またはより短く調整することによって補正される。
【００１８】
図１ｂの最後のパルスが示すように、陽極電流は１つのパルスの間でも必ずしも一定ではなく、本発明のこの実施形態によると、１つのパルスの間に生じる変化も、各パルスにおける陽極電流の変化の状況に従って管電圧を遮断することによって補正することができる。
【００１９】
より一般的には、本発明の好ましい実施形態によると、通常に使用される一定周期のパルス化の代わりに、パルスの開始周波数（starting frequency）は一定に維持するが、各パルスの持続時間がその陽極電流に基づいて決定されるように、放射線源のパルス化を調整する。このような構造とする理由は、放射線源によって生成されるスペクトルが一般には時間の関数として完全には一定ではないという技術的な問題があるためである。したがって、本発明は、放射線源の陽極電流を測定する手段を含んでいるが、従来技術による構造（そのような測定に基づいて例えば放射線源の加速電圧を調整する）とは異なり、パルスの持続時間を制御する。各パルスによって発生する放射線量（ｍＡ×ｓ）が一定に維持されるように、すなわち、電流の積分値がプリセットレベルに達する瞬間にパルスが終了するように、制御が行われる。このような制御は、例えば上記の電圧制御よりも迅速であり、撮影においては、線量に間接的に影響する電圧よりも、実際の線量を一定に維持することがより直接的である。本発明によるオフセット撮影では、撮影手段が３６０度完全に回転する（これにより時間が要求される）ために撮影工程が極めて長く、したがって放射線量が増大するため、このように放射線源が正確に調整されることは特に有利である。
【００２０】
本発明において使用される装置の制御システムには制御ルーチンが設けられており、この制御ルーチンは、放射線源１４のパルス化動作を可能にする一方で、撮影検出器１５によって検出される情報の保存もしくは情報の定期的な転送、またはその両方を可能にする。センサの情報は、毎秒数回読み取られる（例えば１０回以上／秒）ようにされていることが好ましい。センサから情報が読み出されるときにつねに照射が中断されるように、照射の周期化とセンサの動作とを同期させることが好ましい。周波数（frequency rate）は、放射線パルスの持続時間と、撮影する領域中をビームが進む最大距離（再構築時に使用されるボクセルサイズに対応する）とが少なくとも対応するように設定されることが好ましい。言い換えれば、放射線パルスの持続時間は、撮影する領域の中で、再構築時に使用されるボクセルサイズに対応する距離をビームが進むのにかかり得る最大時間よりも短いように設定される。さらに、放射線パルスの持続時間は、撮影中に撮影センサがその１ピクセルの距離を移動するのに要する時間よりも短いように、あるいは相当に短いように設定ことができる。撮影センサのピクセルサイズは、２００μｍのオーダーとすることができ、今後の技術の進歩によってはさらに小さくなり得る。撮影センサは、機能に関してコンピュータに接続されており、コンピュータは、センサによって検出された情報から２次元画像もしくは３次元画像またはその両方を再構築するための手段を備えている。
【００２１】
さらに、放射線のパルス化は、オフセット撮影に関連していわゆるデュアルエネルギ撮影（double energy imaging）を実現するための好ましい方法を提供する。デュアルエネルギ撮影は、骨の特性評価に関連して使用されている。本発明によると、デュアルエネルギ撮影は、例えば、撮影手段の回転が進んでいる間に、第１の電圧によって生成されるパルスと第２の電圧によって生成されるパルスとを撮影中に交互に使用することによって実施することができ、ただし当然ながら、別の電圧変更方式を使用することもできる。そのような１つの方式として、連続するパルス列としてパルスを生成し、このとき、一方の電圧によってつねに同じ数のパルスを生成した後、他方の電圧によって同じ数のパルスを生成する。
【００２２】
図２ａ〜ｃは、本発明によるオフセット撮影を実施するための１つの好ましい構造を示している。図に示したＣＴ装置は、撮影手段（放射線源１４および画像情報の受信器１５）を備えた第１のアーム部１１と、このアーム部１１を支持している第２のアーム部１２と、を含んでいる。第１のアーム部１１は、これらのアーム部１１，１２を連結している第１の回転軸２１を中心に、第２のアーム部１２に対して回転可能に配置されている。放射線源１４および画像情報の受信器１５は、第１のアーム部１１に、回転軸２１の両側に互いに隔てて配置されている。本装置は、制御システム（図面には示していない）と、少なくとも１つのアクチュエータ３１，３２（図４を参照）とを含んでおり、アクチュエータ３１，３２は、少なくとも第１のアーム部１１もしくは第２のアーム部１２またはその両方を回転軸２１，２２を中心に駆動するようにされている。撮影手段１４，１５を支持する第１のアーム部１１を支持しているアーム部１２は、支持アーム１３を介して支持構造１０に支持されている。（なお図を明瞭に、かつ一般性をもたせる目的で、撮影する対象物は、本発明を実際に使用するときに想定される頭蓋骨や歯ではなく、「骨」として描いてある）。
【００２３】
図２ａ〜ｃは、本発明による撮影モードを実施するようにされている、本発明の好ましい実施形態によるアーム構造を示している。この構造では、撮影手段１４，１５を支持している第１のアーム部１１は、第２のアーム部１２に対して所望の角度に駆動され、撮影の間、第２のアーム部１２に対して動かないように維持され、撮影中の撮影手段１４，１５の実際の動きは、第２のアーム部１２をその回転軸２２を中心に駆動することによって実施される。この構造においては、オフセット撮影の原理に従って、放射線ビームは、撮影する領域全体をつねにカバーするのではなく、さらには、放射線源１４によって生成される放射線ビームの中心軸線も、撮影する領域の中心をつねに通るのではなく、撮影する領域に対して非対称的に移動し、したがって、撮影する領域全体をカバーするためにはアーム構造を３６０度完全に回転させなければならない。しかしながらこの非対称型の撮影構造では、３６０度回転させた後、対称型の撮影の場合よりも広い領域から、逆投影のための情報が集められる。
【００２４】
図２ａ〜ｃによる構造においては、撮影手段１４，１５を支持する第１のアーム部１１を支持しているアーム部１２は、第２の回転軸２２を介して支持アーム１３に配置されている。この構造では、図には示していない撮影モードとして、撮影手段を支持しているアーム部１１の回転中心２１が撮影中に移動するモードも可能である（例えばパノラマ撮影）。さらには、支持アーム１３も自身の回転軸２３を中心に回転可能に配置されているならば、撮影手段１４，１５を支持しているアーム部１１を、一連のアーム１１，１２，１３の動作範囲の中で自由に位置決めすることができ、さまざまな撮影構造を実施できる汎用的なアーム構造が提供される。
【００２５】
図２ａ〜ｃによる撮影モードを使用して撮影することのできる領域のサイズは、撮影時に第１のアーム部１１と第２のアーム部１２とが互いに回転しない状態にあるときの互いになす角度に依存する。本発明の好ましい一実施形態（図示していない）は、互いに反対の回転方向になされる２つの動作を備えており、最初の動作は、例えば図２によると、第１のアーム部１１と第２のアーム部１２との間の一定の角度「α」を維持して１８０度のみの回転角度を使用し、戻り動作は、アーム部の間の角度「−α」を維持して等しい回転角度だけ同様に行われる。この方式で動作するならば、一連のアームの回転メカニズムを、より単純に実施することができ、なぜなら３６０度の回転に伴う技術的な問題を考慮する必要がないためである。より一般的には、この撮影モードでは、第１の動作およびその戻り動作の回転角度は、特に１８０度である必要はなく、この回転角度と角度「α」を対応的に変化させることによって、同じ結果を得ることができる。当然ながら、図２ａ〜ｃに示した以外のアーム構造でも、同じ原理を実施することができる。
【００２６】
本発明による装置は、図３に概略的に示したように実施することができる。支持構造１０は、図３においては垂直部材１０として実施されており、支持アーム１３と、支持アーム１３に連結されている第２のアーム部１２と、第１のアーム部１１とを支持している。撮影手段１４，１５を支持している第１のアーム部１１は、第２のアーム部１２に支持されている回転軸２１を中心に回転可能に配置されており、第２のアーム部１２は、同様に、支持アーム１３に支持されている回転軸２２を中心に回転可能に配置されている。図３において、回転軸２１，２２に関連して第１のアクチュエータ３１および第２のアクチュエータ３２が配置されており、これらのアクチュエータは、装置の制御システムによる制御下で第１のアーム部１１および第２のアーム部１２を駆動することができる。本発明によると、制御システムは、図２ａ〜ｃによる撮影を実施するための制御ルーチンを備えている。第１のアーム部１１および第２のアーム部１２の駆動は、原理的には、１つのみのアクチュエータによる適切な構造によって実施することもできる。支持アーム１３も、支持構造１０に対して回転可能に配置することができ、図３による構造では、第３のアクチュエータ３３によって駆動される。ハウジング部１０は、図３には示していない垂直の動きを行うようにすることが可能である。さらに一般には、この装置は患者支持手段１６を含んでおり、図３による構造では垂直部材１０に配置されている。支持アーム１３は、例えば天井や壁に取り付けることもでき、その場合、患者支持手段１６は、装置の一連のアーム１１，１２，１３に対して、別の固定位置に配置することができる。
【００２７】
垂直部材１０を有する図３による装置においては、垂直動作は、例えば患者支持手段１６がアーム構造１１，１２，１３の垂直動作に沿って移動するように、または患者支持手段１６とアーム構造１１，１２，１３とが垂直方向に互いに独立して自由に動くことができるように、実施することができる。このような構造を使用すると、患者を動かすことなく、撮影する領域を、水平および垂直の両方向に、一連のアーム１１，１２，１３の動作範囲内の所望の位置に配置することができる。
【００２８】
本発明による撮影装置は、検出器１５によって検出される情報を処理する手段をＣＴ装置自体が備える必要がないように、個別のコンピュータに接続することができる。装置において使用される検出器１５は、例えばＣＭＯＳセンサ、あるいはいわゆる直接検出式の検出器とすることができる。センサによって検出される情報から、それ自体公知の方法（例えばいわゆるフィルタ補正逆投影アルゴリズムまたは反復逆投影アルゴリズムなど）によって画像を再構築することが可能である。
【００２９】
本発明による装置においては、回転軸２１，２２の所望の座標と、アーム部１１，１２，１３の向きとを、ユーザインタフェースを介して装置の制御システムに入力できるようにすることができ、あるいは、例えばそれ自体公知の位置決め光、または所望の座標を制御システムに自動的に送信することのできる何らかの対応する構造を、装置に設けることができる。さらに、制御システムは、２種類以上の領域をカバーする目的で、撮影手段１４，１５の１つまたは複数のプリセット位置と制御ルーチンとを含んでいることができる。このような場合、制御ルーチンは、プリセットされた撮影開始位置、または制御システムに入力された撮影開始位置まで、第１のアーム部１１および第２のアーム部１２を駆動する制御コマンドを備えていることができる。
【００３０】
本発明によるＣＴ装置の撮影手段は、一般にＣＢＣＴ撮影において使用されるエリアセンサ（いわゆるフレームセンサ）を含んでいる。センサの有効面は、円形、方形、または二次曲面とすることができ、その直径または辺の長さは、１０ｃｍ〜２０ｃｍのオーダーである。放射線源によって生成されるビームを、このようなセンサの寸法に対応してコリメートし、例えば５０〜６０ｃｍのオーダーのＳＩＤ（線源−画像間距離）を使用することによって、本発明による装置は、歯列弓におけるいくつかのサイズの領域を撮影することができる。
【００３１】
当業者には明らかであるように、本発明の基本的な発想は、特に技術の進歩に伴って、数多くの異なる方法で実施することができ、本発明の複数の異なる実施形態は、上述した例に限定されず、添付の請求項によって定義される範囲内でさまざまなバリエーションを創案することができる。例として、本明細書において使用されている用語「回転軸」は、狭義の物理的な軸に限定されず、対応する機能を提供する何らかの仮想的な軸線、あるいは物理的な旋回軸、ベアリング、または他の何らかの構造も含まれる。
【図１ａ】
0005480398.tif 000002
【図１ｂ】
0005480398.tif 000003
【図２】
0005480398.tif 000004
【図３】
0005480398.tif 000005